(57)【要約】【課題】光ケーブルの破損を抑制する。【解決手段】第１コネクタが設けられた第１基板と、第２コネクタが設けられた第２基板と、第１コネクタ及び第２コネクタを接続し、光信号を伝送する光ケーブルと、を備え、光ケーブルは、第１基板及び第２基板の間の収納空間において、曲線的な形状で移動可能に配置される、ことを特徴とする印刷装置。【選択図】図６
2020199655.tif 000002
【特許請求の範囲】
【請求項１】
第１コネクタが設けられた第１基板と、
第２コネクタが設けられた第２基板と、
前記第１基板を収納する収納体と、
前記第１コネクタ及び前記第２コネクタを接続し、光信号を伝送する光ケーブルと、
を備え、
前記収納体には、
前記光ケーブルが曲線的な形状で移動可能に配置される収納空間が設けられる、
ことを特徴とする印刷装置。
【請求項２】
前記収納空間には、前記光ケーブルを保持する第１保持部が設けられ、
前記光ケーブルは、
前記光ケーブルのうち第１の部分が前記第１保持部により保持され、且つ、
前記光ケーブルのうち第２の部分が前記第１保持部により保持される場合に、
前記第１の部分から前記第２の部分までの前記光ケーブルの配線長が、
前記第１の部分と前記第２の部分との直線距離よりも長くなるように配置される、
ことを特徴とする、請求項１に記載の印刷装置。
【請求項３】
前記収納空間には、前記光ケーブルを保持する第１保持部及び第２保持部が設けられ、
前記光ケーブルは、
前記光ケーブルのうち第１の部分が前記第１保持部により保持され、且つ、
前記光ケーブルのうち第２の部分が前記第２保持部により保持される場合に、
前記第１の部分から前記第２の部分までの前記光ケーブルの配線長が、
前記第１の部分と前記第２の部分との直線距離よりも長くなるように配置される、
ことを特徴とする、請求項１に記載の印刷装置。
【請求項４】
前記光ケーブルのうち前記収納空間に位置する特定部分から前記第１コネクタまでの前記光ケーブルの配線長は、
前記特定部分から前記第２コネクタまでの前記光ケーブルの配線長よりも短い、
ことを特徴とする、請求項１乃至３のうち何れか１項に記載の印刷装置。
【請求項５】
媒体を搬送する搬送部と、
前記搬送部により搬送される媒体に対して液体を吐出する印刷部と、
を備え、
前記印刷部は、
前記収納体に収納されている、
ことを特徴とする、請求項１乃至４のうち何れか１項に記載の印刷装置。
【請求項６】
前記第２基板は、
前記印刷部からの液体の吐出を指定する印刷情報を生成する制御回路を備え、
前記第１基板は、
前記印刷情報に基づいて、前記印刷部から液体を吐出するか否かを切り替える切替回路を備え、
前記制御回路は、
前記印刷情報を、前記光ケーブルを介して前記切替回路に供給する、
ことを特徴とする、請求項５に記載の印刷装置。
【請求項７】
前記第１基板に設けられた第３コネクタと、前記第２基板に設けられた第４コネクタとを接続し、
電気信号を伝送する電気ケーブルを備え、
前記電気ケーブルは、
前記収納空間とは異なる空間に設けられる、
ことを特徴とする、請求項１乃至６のうち何れか１項に記載の印刷装置。
【請求項８】
第１コネクタが設けられた第１基板と、
第２コネクタが設けられた第２基板と、
前記第１コネクタ及び前記第２コネクタを接続し、光信号を伝送する光ケーブルと、
前記光ケーブルを保持する第１保持部と、
を備え、
前記光ケーブルは、
前記光ケーブルのうち第１の部分が前記第１保持部により保持され、
前記光ケーブルのうち第２の部分が前記第１保持部により保持される場合に、
前記第１の部分から前記第２の部分までの前記光ケーブルの配線長が、
前記第１の部分と前記第２の部分との直線距離よりも長くなるように配置される、
ことを特徴とする印刷装置。
【発明の詳細な説明】
【技術分野】
【０００１】
本発明は、印刷装置に関する。
【背景技術】
【０００２】
従来から、印刷装置内における各種信号の伝送に、光ケーブルを使用する技術が知られている。例えば、特許文献１には、印刷装置内において２つのコネクタ間を光ケーブルで接続する技術が記載されている。
【先行技術文献】
【特許文献】
【０００３】
【特許文献１】特開２０１４−１５１４７６号公報
【発明の概要】
【発明が解決しようとする課題】
【０００４】
従来の技術において、光ケーブルの接続先のコネクタが設けられた基板の交換等、光ケーブルをコネクタから抜去することが必要となる場合がある。しかし、印刷装置内の狭小な空間内において、光ケーブルをコネクタから抜去する場合、光ケーブルがコネクタから抜去された反動で、光ケーブルが印刷装置内の構成物と衝突し、光ケーブルが破損することがあった。
【課題を解決するための手段】
【０００５】
以上の課題を解決するために、本発明に係る印刷装置は、第１コネクタが設けられた第１基板と、第２コネクタが設けられた第２基板と、前記第１基板を収納する収納体と、前記第１コネクタ及び前記第２コネクタを接続し、光信号を伝送する光ケーブルと、を備え、前記収納体には、前記光ケーブルが曲線的な形状で移動可能に配置される収納空間が設けられる、ことを特徴とする。
【図面の簡単な説明】
【０００６】
【図１】本発明の実施形態に係るインクジェットプリンター１の構成の一例を示すブロック図である。
【図２】インクジェットプリンター１の概略的な内部構造の一例を示す断面図である。
【図３】吐出部Ｄの構造の一例を説明するための説明図である。
【図４】印刷ヘッド３２の構成の一例を示す平面図である。
【図５】インクジェットプリンター１における回路配置の一例を説明するための説明図である。
【図６】外装ケース３００の概略的な構造の一例を示す断面図である。
【図７】外装ケース３００におけるケーブルＣb2の挙動の一例を説明するための説明図である。
【図８】対比例に係る外装ケース３００Zの概略的な構造の一例を示す断面図である。
【図９】外装ケース３００ZにおけるケーブルＣb2の挙動の一例を説明するための説明図である。
【図１０】外装ケース３００ZにおけるケーブルＣb2の挙動の一例を説明するための説明図である。
【図１１】変形例１に係る外装ケース３００Ａの概略的な構造の一例を示す断面図である。
【図１２】外装ケース３００ＡにおけるケーブルＣb2の挙動の一例を説明するための説明図である。
【図１３】変形例２に係る外装ケース３００Ｂの概略的な構造の一例を示す断面図である。
【図１４】外装ケース３００ＢにおけるケーブルＣb2の挙動の一例を説明するための説明図である。
【図１５】変形例３に係るインクジェットプリンター１Ｃの構成の一例を示すブロック図である。
【図１６】インクジェットプリンター１Ｃにおける回路配置の一例を説明するための説明図である。
【発明を実施するための形態】
【０００７】
以下、本発明を実施するための形態について図面を参照して説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【０００８】
＜＜１．実施形態＞＞
本実施形態では、インクを吐出して記録媒体ＰPに画像を形成するインクジェットプリンターを例示して、印刷装置を説明する。なお、本実施形態において、インクとは「液体」の一例であり、記録媒体ＰPとは「媒体」の一例である。
【０００９】
＜＜１．１．インクジェットプリンターの概要＞＞
以下、図１を参照しつつ、本実施形態に係るインクジェットプリンター１の概要について説明する。
【００１０】
図１は、インクジェットプリンター１の構成の一例を示す機能ブロック図である。
【００１１】
図１に示すように、インクジェットプリンター１には、パーソナルコンピューターまたはデジタルカメラ等のホストコンピューターから、インクジェットプリンター１が形成すべき画像を示す印刷データＩmgが供給される。インクジェットプリンター１は、ホストコンピューターから供給される印刷データＩmgの示す画像を記録媒体ＰPに形成する印刷処理を実行する。
【００１２】
また、図１に示すように、インクジェットプリンター１には、ホストコンピューターから、印刷設定情報Ｉnfoが供給される。本実施形態では、印刷設定情報Ｉnfoが、インクジェットプリンター１が印刷処理を実行する場合における印刷モードを指定する印刷モード情報Ｍodと、インクジェットプリンター１が形成すべき画像の枚数を示す部数情報ＢJと、を含む場合を、一例として想定する。
なお、以下では、インクジェットプリンター１が、印刷データＩmg及び印刷設定情報Ｉnfoを受信してから、印刷処理を実行して、印刷データＩmgの示す画像を、部数情報ＢJの示す枚数分だけ形成するまでの一連の処理を、印刷ジョブと称する場合がある。
本実施形態では、インクジェットプリンター１が、通常印刷モード、速度優先印刷モード、及び、画質優先印刷モードの、３種類の印刷モードにより、印刷処理を実行可能である場合を、一例として想定する。ここで、速度優先印刷モードとは、通常印刷モードと比較して、印刷処理において形成される画像の画質が低くなるものの、印刷処理の速度が速くなるように、印刷処理を実行する印刷モードである。また、画質優先印刷モードとは、通常印刷モードと比較して、印刷処理の速度が遅くなるものの、印刷処理において形成される画像の画質が高くなるように、印刷処理を実行する印刷モードである。
【００１３】
図１に例示するように、インクジェットプリンター１は、インクジェットプリンター１の各部を制御する制御ユニット２と、記録媒体ＰPに対してインクを吐出する吐出部Ｄが設けられたヘッドユニット３と、ヘッドユニット３に対する記録媒体ＰPの相対位置を変化させるための搬送ユニット４と、を備える。
【００１４】
制御ユニット２は、１または複数のＣＰＵと、デジタル-アナログ変換回路とを、含んで構成される。但し、制御ユニット２は、ＣＰＵの代わりに、または、ＣＰＵに加えて、ＦＰＧＡ等の各種回路を備えるものでよい。ここで、ＣＰＵとは、Central Processing Unitの略称であり、ＦＰＧＡとは、field-programmable gate arrayの略称である。
【００１５】
図１に例示するように、制御ユニット２は、吐出部Ｄを駆動するためのアナログの電気信号である駆動信号Ｃomを生成し、生成した駆動信号Ｃomを、ヘッドユニット３に供給する。
また、制御ユニット２は、印刷データＩmg及び印刷設定情報Ｉnfoに基づいて、吐出部Ｄの動作の種類を指定するための印刷信号ＳIを生成する。ここで、印刷信号ＳIとは、吐出部Ｄに対して駆動信号Ｃomを供給するか否かを指定することで、吐出部Ｄの動作の種類を指定するデジタルの電気信号である。そして、制御ユニット２は、デジタルの電気信号である印刷信号ＳIを、光信号Ｈ-SIに変換し、当該光信号Ｈ-SIをヘッドユニット３に対して供給する。ここで、光信号Ｈ-SIとは、印刷信号ＳIの示す情報と同一内容の情報を示す光信号である。
そして、ヘッドユニット３は、光信号Ｈ-SIを印刷信号ＳIに変換し、印刷信号ＳIに基づいて、吐出部Ｄを駆動する。このように、制御ユニット２は、印刷データＩmgに基づいて生成された印刷信号ＳIに応じて、吐出部Ｄからインクを吐出させることで、記録媒体ＰPに対して、印刷データＩmgの示す画像を形成することが可能となる。
また、制御ユニット２は、印刷設定情報Ｉnfoに基づいて、搬送ユニット４を制御するための搬送制御信号Ｃtr-Kを生成し、生成した搬送制御信号Ｃtr-Kを、搬送ユニット４に供給する。
【００１６】
図１に例示するように、ヘッドユニット３は、供給回路３１と、印刷ヘッド３２と、を備える。
このうち、印刷ヘッド３２は、Ｍ個の吐出部Ｄを備える。ここで、値Ｍは、「Ｍ≧２」を満たす自然数である。なお、以下では、印刷ヘッド３２に設けられたＭ個の吐出部Ｄのうち、ｍ番目の吐出部Ｄを、吐出部Ｄ[m]と称する場合がある。ここで、変数ｍは、「１≦ｍ≦Ｍ」を満たす自然数である。また、以下では、インクジェットプリンター１の構成要素または信号等が、Ｍ個の吐出部Ｄのうち、吐出部Ｄ[m]に対応する場合は、当該構成要素または信号等を表わすための符号に、添え字[m]を付すことがある。
また、供給回路３１は、印刷信号ＳIに基づいて、駆動信号Ｃomを吐出部Ｄ[m]に供給するか否かを切り替える。
【００１７】
＜＜１．２．インクジェットプリンターの構成＞＞
次に、図２乃至図４を参照しつつ、本実施形態に係るインクジェットプリンター１の構成の一例について説明する。
【００１８】
図２は、インクジェットプリンター１の概略的な内部構造の一例を示す斜視図である。
図２に示すように、本実施形態では、インクジェットプリンター１がシリアルプリンターである場合を想定する。具体的には、インクジェットプリンター１は、印刷処理を実行する場合、副走査方向に記録媒体ＰPを搬送しつつ、副走査方向に交差する主走査方向にヘッドユニット３を往復動させながら、吐出部Ｄからインクを吐出させることで、記録媒体ＰP上に、印刷データＩmgに応じたドットを形成する。
以下では、＋Ｘ方向とその逆方向である−Ｘ方向とを「Ｘ軸方向」と総称し、Ｘ軸方向に交差する＋Ｙ方向とその逆方向である−Ｙ方向とを「Ｙ軸方向」と総称し、Ｘ軸方向及びＹ軸方向に交差する＋Ｚ方向とその逆方向である−Ｚ方向とを「Ｚ軸方向」と総称する。そして、本実施形態では、図２に例示するように、上流側である−Ｘ側から下流側である＋Ｘ側に向かう方向を副走査方向とし、＋Ｙ方向及び−Ｙ方向を主走査方向とする。
【００１９】
図２に例示するように、本実施形態に係るインクジェットプリンター１は、筐体１００を備え、筐体１００の内部には、上述した制御ユニット２、ヘッドユニット３、及び、搬送ユニット４が設けられている。
このうち、搬送ユニット４は、図２に例示するように、ヘッドユニット３を往復動させるためのキャリッジ搬送機構４１０と、ヘッドユニット３に固定されキャリッジ搬送機構４１０により駆動されるタイミングベルト４３０と、ヘッドユニット３をＹ軸方向に往復自在に支持するキャリッジガイド軸４４０と、を具備する。このため、搬送ユニット４は、ヘッドユニット３を、キャリッジガイド軸４４０に沿ってＹ軸方向に往復動させることができる。
また、搬送ユニット４は、図２に例示するように、ヘッドユニット３の−Ｚ側に設けられたプラテン４５０と、プラテン４５０上の記録媒体ＰPを＋Ｘ側に搬送するための媒体搬送機構４２０と、を具備する。このため、搬送ユニット４は、印刷処理が実行される場合に、ヘッドユニット３をＹ軸方向に往復動させるとともに、記録媒体ＰPを＋Ｘ方向に搬送することで、記録媒体ＰPのヘッドユニット３に対する相対位置を変化させ、記録媒体ＰPの全体に対するインクの着弾を可能とする。
【００２０】
図示は省略するが、本実施形態において、インクジェットプリンター１は、ブラック、シアン、マゼンタ、及び、イエローの４色のインクと１対１に対応して設けられた、４個のインクカートリッジを備える。各インクカートリッジは、当該インクカートリッジに対応する色のインクを貯留する。
【００２１】
ここで、印刷処理が実行される場合の制御ユニット２の動作の概要を説明する。
印刷処理が実行される場合、制御ユニット２は、ホストコンピューターから供給される印刷データＩmg等の各種データに基づいて、印刷信号ＳI等のヘッドユニット３を制御するための信号と、搬送制御信号Ｃtr-K等の搬送ユニット４を制御するための信号と、を生成する。そして、制御ユニット２は、印刷信号ＳI及び搬送制御信号Ｃtr-K等の各種信号に基づいて、ヘッドユニット３に対する記録媒体ＰPの相対位置を変化させるように、搬送ユニット４に含まれるキャリッジ搬送機構４１０及び媒体搬送機構４２０を制御しつつ、吐出部Ｄが駆動されるようにヘッドユニット３を制御する。これにより、制御ユニット２は、吐出部Ｄからのインクの吐出の有無、インクの吐出量、及び、インクの吐出タイミング等を調整し、印刷データＩmgに対応する画像が記録媒体ＰPに形成されるように、インクジェットプリンター１の各部を制御する。
【００２２】
図３は、吐出部Ｄを含むように印刷ヘッド３２を切断した、印刷ヘッド３２の概略的な一部断面図である。
【００２３】
図３に示すように、吐出部Ｄは、圧電素子ＰZと、内部にインクが充填されたキャビティ７２と、キャビティ７２に連通するノズルＮと、振動板７１と、を備える。吐出部Ｄは、圧電素子ＰZが駆動信号Ｃomにより駆動されることにより、キャビティ７２内のインクをノズルＮから吐出させる。キャビティ７２は、キャビティプレート７４と、ノズルＮが形成されたノズルプレート７３と、振動板７１と、により区画される空間である。キャビティ７２は、インク供給口７６を介してリザーバ７５と連通している。リザーバ７５は、インク取入口７７を介して、４個のインクカートリッジのうち吐出部Ｄに対応するインクカートリッジと連通している。圧電素子ＰZは、上部電極Ｚuと、下部電極Ｚdと、上部電極Ｚu及び下部電極Ｚdの間に設けられた圧電体Ｚmと、を有する。下部電極Ｚdは、基準電位ＶBSに設定される。そして、上部電極Ｚuに駆動信号Ｃomが供給されて、上部電極Ｚu及び下部電極Ｚdの間に電圧が印加されると、当該印加された電圧に応じて圧電素子ＰZが＋Ｚ方向または−Ｚ方向に変位し、その結果、圧電素子ＰZが振動する。振動板７１には、下部電極Ｚdが接合されている。このため、圧電素子ＰZが駆動信号Ｃomにより駆動されて振動すると、振動板７１も振動する。そして、振動板７１の振動によりキャビティ７２の容積及びキャビティ７２内の圧力が変化し、キャビティ７２内に充填されたインクがノズルＮより吐出される。吐出部Ｄは、キャビティ７２内のインクが吐出され、キャビティ７２内のインクが減少すると、当該吐出部Ｄに対応するインクカートリッジからインクの供給を受ける。
【００２４】
図４は、印刷ヘッド３２を、＋Ｚ方向から見た場合の、印刷ヘッド３２の平面構成の概略の一例を示す図である。
【００２５】
図４に示すように、印刷ヘッド３２には、所定方向に延在する複数のノズルＮであるノズル列Ｌn-BKと、所定方向に延在する複数のノズルＮであるノズル列Ｌn-CYと、所定方向に延在する複数のノズルＮであるノズル列Ｌn-MGと、所定方向に延在する複数のノズルＮであるノズル列Ｌn-YLと、からなる４列のノズル列Ｌnが設けられている。ここで、ノズル列Ｌn-BKに属する複数のノズルＮの各々は、ブラックのインクを吐出する吐出部Ｄに設けられたノズルＮであり、ノズル列Ｌn-CYに属する複数のノズルＮの各々は、シアンのインクを吐出する吐出部Ｄに設けられたノズルＮであり、ノズル列Ｌn-MGに属する複数のノズルＮの各々は、マゼンタのインクを吐出する吐出部Ｄに設けられたノズルＮであり、ノズル列Ｌn-YLに属する複数のノズルＮの各々は、イエローのインクを吐出する吐出部Ｄに設けられたノズルＮである。なお、本実施形態では、各ノズル列Ｌnが、Ｘ軸方向に延在するように配置された複数のノズルＮから構成される場合を、一例として想定する。
【００２６】
＜＜１．３．インクジェットプリンターが具備する基板及び回路の概要＞＞
次に、図５を参照しつつ、本実施形態に係るインクジェットプリンター１に設けられた各種基板及び各種回路の概要の一例を説明する。
【００２７】
図５は、インクジェットプリンター１に設けられた各種基板及び各種回路の概要の一例を説明するための説明図である。
【００２８】
図５に例示するように、制御ユニット２は、基板Ｂ2と、基板Ｂ2に設けられた印刷制御回路２０、駆動回路２１、信号変換回路２２、及び、記憶装置２４と、を備える。
このうち、印刷制御回路２０は、上述のとおり、印刷データＩmg及び印刷設定情報Ｉnfoに基づいて、搬送制御信号Ｃtr-Kと、印刷信号ＳIと、を生成する。また、印刷制御回路２０は、駆動信号Ｃomの波形を規定するデジタルの信号である波形規定信号ｄComを生成する。
また、駆動回路２１は、波形規定信号ｄComに基づいて、波形規定信号ｄComにより規定された波形を有する駆動信号Ｃomを生成する。なお、駆動回路２１は、例えば、ＤＡ変換回路を含んで構成されている。
また、信号変換回路２２は、電気信号である印刷信号ＳIを、光信号Ｈ-SIに変換する。
また、記憶装置２４は、例えば、ＲＯＭ、ＥＥＰＲＯＭ、または、ＰＲＯＭ等の不揮発性メモリーを含んで構成される。ここで、ＲＯＭとは、Read Only Memoryの略称であり、ＥＥＰＲＯＭとは、Electrically Erasable Programmable Read-Only Memoryの略称であり、また、ＰＲＯＭとは、Programmable ROMの略称である。記憶装置２４は、例えば、インクジェットプリンター１の制御プログラム等の各種情報を記憶する。
【００２９】
図５に例示するように、ヘッドユニット３は、基板Ｂ3と、基板Ｂ3に設けられた供給回路３１、及び、信号変換回路３３と、を備える。
このうち、供給回路３１は、上述のとおり、印刷信号ＳIに基づいて、駆動信号Ｃomを吐出部Ｄ[m]に供給するか否かを切り替える。
また、信号変換回路３３は、光信号Ｈ-SIを、電気信号である印刷信号ＳIに変換する。
【００３０】
図５に例示するように、搬送ユニット４は、基板Ｂ4と、基板Ｂ4に設けられた搬送駆動回路４０と、を備える。
このうち、搬送駆動回路４０は、搬送制御信号Ｃtr-Kに基づいて、キャリッジ搬送機構４１０及び媒体搬送機構４２０を駆動するための信号を生成する。
【００３１】
図５に例示するように、インクジェットプリンター１は、基板Ｂ2に設けられたコネクタＣn21、及び、基板Ｂ3に設けられたコネクタＣn31を接続するケーブルＣb1と、基板Ｂ2に設けられたコネクタＣn22、及び、基板Ｂ3に設けられたコネクタＣn32を接続するケーブルＣb2と、基板Ｂ2に設けられたコネクタＣn23、及び、基板Ｂ4に設けられたコネクタＣn41を接続するケーブルＣb3と、を備える。
このうち、ケーブルＣb1は、例えば、ＦＦＣ等の電気ケーブルであり、駆動回路２１において生成された電気信号である駆動信号Ｃomを、供給回路３１へと伝送する。ここで、ＦＦＣとは、Flexible Flat Cableの略称である。
また、ケーブルＣb2は、例えば、光ケーブルであり、信号変換回路２２で生成された光信号Ｈ-SIを、信号変換回路３３へと伝送する。
また、ケーブルＣb3は、例えば、ＦＦＣ等の電気ケーブルであり、印刷制御回路２０において生成された搬送制御信号Ｃtr-Kを、搬送駆動回路４０へと伝送する。
なお、基板Ｂ2には、ケーブルＣb4が接続されるコネクタＣn24が設けられている。ケーブルＣb4は、例えば、ＦＦＣ等の電気ケーブルであり、ホストコンピューターからインクジェットプリンター１に供給される印刷データＩmg及び印刷設定情報Ｉnfoを、印刷制御回路２０へと伝送する。
【００３２】
近年、インクジェットプリンターの高解像度化、及び、インクジェットプリンターによる印刷処理の高速化に伴い、インクジェットプリンターに設けられる吐出部Ｄの個数が増加する傾向にある。このため、近年、吐出部Ｄを制御するための印刷信号ＳIのデータ量も増大化する傾向にある。しかし、印刷信号ＳIを電気ケーブルにより伝送する場合、印刷信号ＳIのデータ量の増大化に伴い、印刷信号ＳIの伝送に遅延が生じる可能性が高くなる。そして、印刷信号ＳIの伝送に遅延が生じる場合、印刷処理が遅延し、高解像度の画像を高速に印刷することができないという弊害が生じることがあった。
また、インクジェットプリンターの大型化のニーズに対応する場合等において、印刷信号ＳIを生成する制御ユニット２と、印刷信号ＳIが供給されるヘッドユニット３との距離が長くなることがある。しかし、印刷信号ＳIを電気ケーブルにより伝送する場合、制御ユニット２及びヘッドユニット３の距離が長くなり、印刷信号ＳIを伝送する電気ケーブルの配線長が長くなると、印刷信号ＳIに対してノイズが重畳し、印刷信号ＳIに基づいて実行される印刷処理により形成される画像の画質が低下するという弊害が生じることがあった。
これに対して、本実施形態では、印刷信号ＳIを、光ケーブルであるケーブルＣb2により伝送する。一般的に、光ケーブルは、電気ケーブルと比較して、大容量のデータを高速に伝送することが可能であり、また、ノイズに対する耐性も強い。このため、本実施形態によれば、印刷信号ＳIのデータ量が増大化する場合、または、印刷信号ＳIの伝送距離が長くなる場合であっても、印刷処理の遅延を防止しつつ、印刷処理において高画質の画像を形成することが可能となる。
【００３３】
＜＜１．４．ヘッドユニットの構成＞＞
次に、図６及び図７を参照しつつ、本実施形態に係るヘッドユニット３の構成の一例について説明する。
【００３４】
図６は、Ｙ軸方向に垂直な平面によりヘッドユニット３を切断した、ヘッドユニット３の概略的な断面図である。
【００３５】
図６に示すように、ヘッドユニット３は、外装ケース３００と、外装ケース３００に収納された基板Ｂ3と、外装ケース３００の−Ｚ側において、外装ケース３００から露出するように設けられた印刷ヘッド３２と、を備える。また、上述のとおり、基板Ｂ3には、供給回路３１と、信号変換回路３３と、ケーブルＣb2が接続されるコネクタＣn32と、が設けられる。
【００３６】
また、本実施形態において、外装ケース３００は、例えば、図６に示すように、底部３１１と、底部３１１よりも＋Ｚ側に設けられた上蓋部３１２と、Ｚ軸方向における底部３１１及び上蓋部３１２の間であって、外装ケース３００のうち−Ｘ方向の端部を形成する側壁部３１３と、Ｚ軸方向における底部３１１及び上蓋部３１２の間であって、外装ケース３００のうち＋Ｘ方向の端部を形成する側壁部３１４と、を備える。外装ケース３００の内部には、Ｚ軸方向における底部３１１及び上蓋部３１２の間であって、且つ、Ｘ軸方向における側壁部３１３及び側壁部３１４の間の位置に、内壁部３２１及び内壁部３２２が設けられる。そして、外装ケース３００の内部の空間、すなわち、底部３１１、上蓋部３１２、側壁部３１３、及び、側壁部３１４で囲まれた空間は、内壁部３２１及び内壁部３２２によって、内壁部３２１及び内壁部３２２よりも＋Ｘ側に位置し、基板Ｂ3を収納するための内部空間ＳP1と、内壁部３２１及び内壁部３２２よりも−Ｘ側に位置し、ケーブルＣb2を収納するための内部空間ＳP2とに、区分される。
【００３７】
本実施形態において、ケーブルＣb2は、図６に示すように、内部空間ＳP2と、内壁部３２１及び内壁部３２２の間に設けられた貫通孔ＫKと、内部空間ＳP1とに延在し、内部空間ＳP1において、コネクタＣn32に接続する。
また、本実施形態において、ケーブルＣb2は、Ｙ軸方向から見た場合に、内部空間ＳP2において、ループ状に配線されるように、保持部５０１及び保持部５０２により保持されている。具体的には、ケーブルＣb2は、内部空間ＳP2において、ケーブルＣb2の部分ＰT1が、保持部５０１により保持され、ケーブルＣb2の配線経路上で、部分ＰT1よりもコネクタＣn32に近い部分ＰT2が、保持部５０１よりも＋Ｚ側に位置する保持部５０２により保持され、ケーブルＣb2の配線経路上で、部分ＰT2よりもコネクタＣn32に近い部分ＰT3が、保持部５０１により保持されるように、配線されている。
すなわち、本実施形態において、ケーブルＣb2のうち、部分ＰT1及び部分ＰT2の間の配線長が、部分ＰT1及び部分ＰT2の間の直線距離よりも長くなるように、ケーブルＣb2が配線されている。また、本実施形態において、ケーブルＣb2のうち、部分ＰT1及び部分ＰT3の間の配線長が、部分ＰT1及び部分ＰT3の間の直線距離よりも長くなるように、ケーブルＣb2が配線されている。このように、本実施形態では、ケーブルＣb2が、内部空間ＳP2において、曲線的な形状で配線される。
なお、図示は省略するが、本実施形態において、ケーブルＣb1は、内部空間ＳP1の＋Ｚ側から、内部空間ＳP1を介して、基板Ｂ3に設けられたコネクタＣn31に接続される。すなわち、本実施形態において、ケーブルＣb1は、内部空間ＳP2を経由することなく、コネクタＣn31及びコネクタＣn21を接続する。
【００３８】
図７は、ケーブルＣb2をコネクタＣn32から抜去した場合の、ケーブルＣb2の位置変化の一例を説明するための説明図である。
図７に示すように、ケーブルＣb2をコネクタＣn32から抜去し、ケーブルＣb2の＋Ｘ側の端部が、コネクタＣn32よりも−Ｘ側へと変位した場合、ケーブルＣb2がコネクタＣn32に接続されている場合と比較して、ケーブルＣb2のうち部分ＰT3は、−Ｘ側へと変位し、ケーブルＣb2のうち部分ＰT2は、＋Ｘ側へと変位し、ケーブルＣb2のうち部分ＰT1は、−Ｘ側へと変位する。
なお、この場合、保持部５０１及び保持部５０２は、部分ＰT1、部分ＰT2、及び、部分ＰT3が、Ｘ軸方向に円滑に変位するように、ケーブルＣb2を保持してもよい。すなわち、保持部５０１及び保持部５０２は、ケーブルＣb2をコネクタＣn32から抜去した場合の、内部空間ＳP2におけるケーブルＣb2の形状が、ケーブルＣb2がコネクタＣn32と接続されている場合の、内部空間ＳP2におけるケーブルＣb2の形状と略同じとなるように、ケーブルＣb2を保持してもよい。
また、この場合、保持部５０１及び保持部５０２は、部分ＰT3がＸ軸方向に円滑に変位する一方で、部分ＰT1のＸ軸方向への変位が制限されるように、ケーブルＣb2を保持してもよい。すなわち、保持部５０１及び保持部５０２は、ケーブルＣb2をコネクタＣn32から抜去した場合の、内部空間ＳP2においてケーブルＣb2が形成するループの大きさが、ケーブルＣb2がコネクタＣn32と接続されている場合の、内部空間ＳP2においてケーブルＣb2が形成するループの大きさよりも、大きくなるように、ケーブルＣb2を保持してもよい。
【００３９】
＜＜１．５．対比例＞＞
以下、本実施形態の効果を明確化するために、図８乃至図１０を参照しつつ、対比例に係る外装ケース３００Zについて説明する。
【００４０】
図８は、対比例に係るヘッドユニットを、Ｙ軸方向に垂直な平面により切断した、対比例に係るヘッドユニットの概略的な断面図である。
【００４１】
図８に示すように、対比例に係るヘッドユニットは、外装ケース３００Zを有する。外装ケース３００Zは、底部３１１と、上蓋部３１２と、Ｚ軸方向における底部３１１及び上蓋部３１２の間であって、外装ケース３００のうち＋Ｘ方向の端部を形成する側壁部３１４と、Ｚ軸方向における底部３１１及び上蓋部３１２の間であって、外装ケース３００のうち−Ｘ方向の端部を形成する壁部３２１Z及び壁部３２２Zと、を備える。外装ケース３００Zの内部には、底部３１１、上蓋部３１２、壁部３２１Z、及び、壁部３２２Zで囲まれた内部空間ＳP1が設けられる。すなわち、外装ケース３００Zは、内部空間ＳP2を有さない点において、実施形態に係る外装ケース３００と相違する。
対比例において、ケーブルＣb2は、図８に示すように、壁部３２１Z及び壁部３２２Zの間に設けられた貫通孔ＫKzと、内部空間ＳP1とに延在し、内部空間ＳP1において、コネクタＣn32に接続する。すなわち、対比例において、ケーブルＣb2は、貫通孔ＫKzにおいて、直線状に配線される。
【００４２】
図９及び図１０は、対比例において、ケーブルＣb2をコネクタＣn32から抜去した場合の、ケーブルＣb2の挙動を説明するための説明図である。
【００４３】
図９及び図１０に示すように、作業者が、ケーブルＣb2の＋Ｘ側の端部を、コネクタＣn32よりも−Ｘ側へと変位させ、ケーブルＣb2をコネクタＣn32から抜去する場合、作業者は、ケーブルＣb2に対して、−Ｘ方向へと向かう成分を有する力Ｆxを加える必要がある。
しかし、例えば、図９に示すように、ケーブルＣb2は、貫通孔ＫKzにおいて、直線的に配置されているため、ケーブルＣb2が、力Ｆxにより、貫通孔ＫKz内部でＺ軸方向に湾曲し、ケーブルＣb2のうち湾曲部分Ａ1が、内壁部３２１Zまたは内壁部３２２Zに衝突することがある。そして、ケーブルＣb2が、内壁部３２１Zまたは内壁部３２２に衝突すると、衝突を起こした湾曲部分Ａ1が、ケーブルＣb2の許容屈曲半径以下に折れ曲がり、その結果として、ケーブルＣb2が破損してしまうことがある。
また、例えば、図１０に示すように、ケーブルＣb2に対して力Ｆxが加えられ、ケーブルＣb2が−Ｘ方向に変位する場合、ケーブルＣb2が、内壁部３２１Zまたは内壁部３２２Zのうち、＋Ｘ側の壁面に衝突することがある。そして、ケーブルＣb2が、内壁部３２１Zまたは内壁部３２２Zのうち、＋Ｘ側の壁面に衝突すると、衝突を起こした湾曲部分Ａ2が、ケーブルＣb2の許容屈曲半径以下に折れ曲がり、ケーブルＣb2が破損してしまうことがある。
上述のとおり、ケーブルＣb2は、光ケーブルであるため、電気ケーブルと比較して、許容屈曲半径が大きく、折り曲げ時に破損する可能性が高い。このため、対比例においては、ケーブルＣb2をコネクタＣn32から抜去する際に、図９または図１０に示すような状況が発生し、ケーブルＣb2が破損することがあった。
【００４４】
これに対して、本実施形態に係る外装ケース３００は、ケーブルＣb2を曲線的な形状で移動可能な態様で収容するための内部空間ＳP2を具備する。このため、本実施形態によれば、ケーブルＣb2をコネクタＣn32から抜去する場合に、ケーブルＣb2に加えられる力Ｆxを、内部空間ＳP2におけるケーブルＣb2の曲線部分において、Ｘ軸方向とは異なる方向へと逃がすことが可能となる。これにより、本実施形態によれば、図９または図１０に示すような、内壁部３２１または内壁部３２２へのケーブルＣb2の衝突を防止することが可能となる。また、本実施形態によれば、仮に、図９または図１０に示すような、内壁部３２１または内壁部３２２へのケーブルＣb2の衝突が発生しても、対比例と比較して、当該衝突によりケーブルＣb2が受けるダメージを小さくすることが可能となる。
【００４５】
＜＜１．６．実施形態のまとめ＞＞
以上のように、本実施形態に係るインクジェットプリンター１は、コネクタＣn32が設けられた基板Ｂ3と、コネクタＣn22が設けられた基板Ｂ2と、基板Ｂ3を収納する外装ケース３００と、コネクタＣn32及びコネクタＣn22を接続し、光信号Ｈ-SIを伝送するケーブルＣb2と、を備え、外装ケース３００には、ケーブルＣb2が曲線的な形状で移動可能に配置される内部空間ＳP2が設けられる、ことを特徴とする。
すなわち、本実施形態によれば、ケーブルＣb2をコネクタＣn32から抜去する場合に、ケーブルＣb2に加えられる力を、ケーブルＣb2の抜去方向とは異なる方向へと逃がすことが可能となる。このため、本実施形態によれば、例えば、対比例と比較して、ケーブルＣb2が外装ケース３００に衝突する可能性を低減させ、または、仮にケーブルＣb2が外装ケース３００に衝突した場合であっても衝突によるケーブルＣb2へのダメージを低減できる。
【００４６】
なお、本実施形態において、基板Ｂ3は「第１基板」の一例であり、基板Ｂ2は「第２基板」の一例であり、コネクタＣn32は「第１コネクタ」の一例であり、コネクタＣn22は「第２コネクタ」の一例であり、外装ケース３００は「収納体」の一例であり、ケーブルＣb2は「光ケーブル」の一例であり、内部空間ＳP2は「収納空間」の一例である。
【００４７】
また、本実施形態において、内部空間ＳP2には、ケーブルＣb2を保持する保持部５０１が設けられ、ケーブルＣb2は、ケーブルＣb2のうち部分ＰT1が保持部５０１により保持され、且つ、ケーブルＣb2のうち部分ＰT3が保持部５０１により保持される場合に、部分ＰT1から部分ＰT3までのケーブルＣb2の配線長が、部分ＰT1及び部分ＰT3の直線距離よりも長くなるように配置される、ことを特徴とする。
すなわち、本実施形態によれば、内部空間ＳP2においてケーブルＣb2を曲線的な形状で配置するため、ケーブルＣb2をコネクタＣn32から抜去する場合に、ケーブルＣb2に加えられる力を、ケーブルＣb2の抜去方向とは異なる方向へと逃がすことが可能となる。
【００４８】
なお、本実施形態において、保持部５０１は「第１保持部」の一例であり、部分ＰT1は「第１の部分」の一例であり、部分ＰT3は「第２の部分」の一例である。
【００４９】
また、本実施形態において、内部空間ＳP2には、ケーブルＣb2を保持する保持部５０１及び保持部５０２が設けられ、ケーブルＣb2は、ケーブルＣb2のうち部分ＰT1が保持部５０１により保持され、且つ、ケーブルＣb2のうち部分ＰT2が保持部５０２により保持される場合に、部分ＰT1から部分ＰT2までのケーブルＣb2の配線長が、部分ＰT1及び部分ＰT2の直線距離よりも長くなるように配置される、ことを特徴とする。
すなわち、本実施形態によれば、内部空間ＳP2においてケーブルＣb2を曲線的な形状で配置するため、ケーブルＣb2をコネクタＣn32から抜去する場合に、ケーブルＣb2に加えられる力を、ケーブルＣb2の抜去方向とは異なる方向へと逃がすことが可能となる。
【００５０】
なお、本実施形態において、保持部５０２は「第２保持部」の一例であり、部分ＰT2は「第２の部分」の他の例である。
【００５１】
なお、本実施形態において、ケーブルＣb2のうち内部空間ＳP2に位置する部分ＰT1からコネクタＣn32までのケーブルＣb2の配線長は、部分ＰT1からコネクタＣn22までのケーブルＣb2の配線長よりも短くてもよい。
すなわち、本実施形態によれば、ケーブルＣb2を曲線的な形状で配置するための内部空間ＳP2が、コネクタＣn32の近傍に設けられるため、ケーブルＣb2をコネクタＣn32から抜去する場合に、ケーブルＣb2に加えられる力を、ケーブルＣb2の抜去方向とは異なる方向へと逃がすことが可能となる。
【００５２】
なお、本実施形態において、部分ＰT1は「特定部分」の一例である。
【００５３】
また、本実施形態に係るインクジェットプリンター１は、記録媒体ＰPを搬送する搬送ユニット４と、搬送ユニット４により搬送される記録媒体ＰPに対してインクを吐出する印刷ヘッド３２と、を備え、印刷ヘッド３２は、外装ケース３００に収納されている、ことを特徴とする。
すなわち、本実施形態によれば、印刷ヘッド３２が収納される外装ケース３００に設けられた基板Ｂ3に対して、光ケーブルであるケーブルＣb2が接続しているため、印刷ヘッド３２により高精細の画像を印刷する場合であっても、当該画像に対応するデータを、遅延無く印刷ヘッド３２に伝送することが可能となる。
【００５４】
なお、本実施形態において、記録媒体ＰPは「媒体」の一例であり、インクは「液体」の一例であり、搬送ユニット４は「搬送部」の一例であり、印刷ヘッド３２は「印刷部」の一例である。
【００５５】
また、本実施形態において、基板Ｂ2は、印刷ヘッド３２からのインクの吐出を指定する印刷信号ＳIを生成する印刷制御回路２０を備え、基板Ｂ3は、印刷信号ＳIに基づいて、印刷ヘッド３２からインクを吐出するか否かを切り替える供給回路３１を備え、印刷制御回路２０は、印刷信号ＳIを、ケーブルＣb2を介して供給回路３１に供給する、ことを特徴とする。
すなわち、本実施形態によれば、印刷ヘッド３２により高精細の画像を印刷する場合であっても、当該画像に対応するデータを、遅延無く印刷ヘッド３２に伝送することが可能となる。
【００５６】
なお、本実施形態において、印刷信号ＳIの示す情報は「印刷情報」の一例であり、印刷制御回路２０は「制御回路」の一例であり、供給回路３１は「切替回路」の一例である。
【００５７】
また、本実施形態において、基板Ｂ3に設けられたコネクタＣn31と、基板Ｂ2に設けられたコネクタＣn21とを接続し、駆動信号Ｃomを伝送するケーブルＣb1を備え、ケーブルＣb1は、内部空間ＳP2とは異なる空間に設けられる、ことを特徴とする。
すなわち、本実施形態によれば、ケーブルＣb2が設けられる内部空間ＳP2とは異なる空間に、ケーブルＣb1が設けられる。このため、本実施形態によれば、ケーブルＣb2が曲線的な形状で配置される内部空間ＳP2において、ケーブルＣb1及びケーブルＣb2が絡まる等のトラブルを防止することができる。
【００５８】
なお、本実施形態において、コネクタＣn31は「第３コネクタ」の一例であり、コネクタＣn21は「第４コネクタ」の一例であり、駆動信号Ｃomは「電気信号」の一例であり、ケーブルＣb1は「電気ケーブル」の一例である。
【００５９】
また、本実施形態に係るインクジェットプリンター１は、コネクタＣn32が設けられた基板Ｂ3と、コネクタＣn22が設けられた基板Ｂ2と、コネクタＣn32及びコネクタＣn22を接続し、光信号Ｈ-SIを伝送するケーブルＣb2と、ケーブルＣb2を保持する保持部５０１と、を備え、ケーブルＣb2は、ケーブルＣb2のうち部分ＰT1が保持部５０１により保持され、ケーブルＣb2のうち部分ＰT3が保持部５０１により保持される場合に、部分ＰT1から部分ＰT3までのケーブルＣb2の配線長が、部分ＰT1と部分ＰT3との直線距離よりも長くなるように配置される、ことを特徴とする。
すなわち、本実施形態によれば、内部空間ＳP2においてケーブルＣb2を曲線的な形状で配置するため、ケーブルＣb2をコネクタＣn32から抜去する場合に、ケーブルＣb2に加えられる力を、ケーブルＣb2の抜去方向とは異なる方向へと逃がすことが可能となる。
【００６０】
＜＜２．変形例＞＞
本実施形態は多様に変形され得る。具体的な変形の態様を以下に例示する。以下の例示から任意に選択された２以上の態様は、相互に矛盾しない範囲内で適宜に併合され得る。なお、以下に例示する変形例において作用や機能が実施形態と同等である要素については、以上の説明で参照した符号を流用して各々の詳細な説明を適宜に省略する。
【００６１】
＜＜変形例１＞＞
上述した実施形態において、ケーブルＣb2は、内部空間ＳP2において、保持部５０１及び保持部５０２の、２個の保持部により保持されるが、本発明はこのような態様に限定されるものではない。ケーブルＣb2は、内部空間ＳP2において、１個以上の保持部により保持されていればよい。
【００６２】
図１１は、本変形例に係る外装ケース３００Ａの概略的な断面図である。なお、本変形例に係るインクジェットプリンターは、外装ケース３００の代わりに外装ケース３００Ａを備える点を除き、実施形態に係るインクジェットプリンター１と同様に構成されている。
【００６３】
図１１に示すように、外装ケース３００Ａは、保持部５０２を具備しない点を除き、実施形態に係る外装ケース３００と同様に構成されている。
本変形例において、ケーブルＣb2は、図１１に示すように、Ｙ軸方向から見た場合に、内部空間ＳP2において、ループ状に配線されるように、保持部５０１により保持されている。具体的には、ケーブルＣb2は、内部空間ＳP2において、部分ＰT1が、保持部５０１により保持され、部分ＰT3が、保持部５０１により保持されるように、配線されている。すなわち、本変形例において、ケーブルＣb2のうち、部分ＰT1及び部分ＰT3の間の配線長が、部分ＰT1及び部分ＰT3の間の直線距離よりも長くなるように、ケーブルＣb2が配線されている。このように、本変形例では、ケーブルＣb2が、内部空間ＳP2において、曲線的な形状で配線される。
【００６４】
図１２は、外装ケース３００Ａにおいて、ケーブルＣb2をコネクタＣn32から抜去した場合の、ケーブルＣb2の位置変化の一例を説明するための説明図である。
図１２に示すように、ケーブルＣb2をコネクタＣn32から抜去した場合、ケーブルＣb2がコネクタＣn32に接続されている場合と比較して、ケーブルＣb2のうち部分ＰT3は、−Ｘ側へと変位し、ケーブルＣb2のうち部分ＰT2は、＋Ｘ側及び＋Ｚ側の一方または両方へと変位し、ケーブルＣb2のうち部分ＰT1は、−Ｘ側へと変位する。
なお、本変形例において、保持部５０１は、部分ＰT1及び部分ＰT3が、Ｘ軸方向に円滑に変位するように、ケーブルＣb2を保持してもよい。また、本変形例において、保持部５０１は、部分ＰT3がＸ軸方向に円滑に変位する一方で、部分ＰT1のＸ軸方向への変位が制限されるように、ケーブルＣb2を保持してもよい。
【００６５】
このように、本変形例に係る外装ケース３００Ａは、ケーブルＣb2を曲線的な形状で移動可能な態様で収容するための内部空間ＳP2を具備する。このため、本変形例によれば、ケーブルＣb2をコネクタＣn32から抜去する場合に、ケーブルＣb2に加えられるＸ軸方向の力を、内部空間ＳP2におけるケーブルＣb2の曲線部分において、Ｘ軸方向とは異なる方向へと逃がすことが可能となる。これにより、本変形例によれば、対比例と比較して、内壁部３２１または内壁部３２２へのケーブルＣb2の衝突の可能性を低減させることが可能となり、また、仮に、内壁部３２１または内壁部３２２へのケーブルＣb2の衝突が発生しても、対比例と比較して、当該衝突によりケーブルＣb2が受けるダメージを小さくすることが可能となる。
【００６６】
＜＜変形例２＞＞
上述した実施形態及び変形例において、ケーブルＣb2は、内部空間ＳP2において、ループ状に配線されるが、本発明はこのような態様に限定されるものではない。ケーブルＣb2は、内部空間ＳP2において、曲線的な形状で移動可能に配線されていればよい。
【００６７】
図１３は、本変形例に係る外装ケース３００Ｂの概略的な断面図である。なお、本変形例に係るインクジェットプリンターは、外装ケース３００の代わりに外装ケース３００Ｂを備える点を除き、実施形態に係るインクジェットプリンター１と同様に構成されている。
【００６８】
図１３に示すように、外装ケース３００Ｂは、保持部５０１及び保持部５０２の代わりに、支持部５０３、支持部５０４、及び、支持部５０５を具備する点を除き、実施形態に係る外装ケース３００と同様に構成されている。
本変形例において、ケーブルＣb2は、図１３に示すように、Ｙ軸方向から見た場合に、内部空間ＳP2において、曲線状であり、且つ、Ｚ軸方向に対して凸形状に配線されるように、支持部５０３、支持部５０４、及び、支持部５０５により支持されている。具体的には、ケーブルＣb2は、内部空間ＳP2において、部分ＰT1が、部分ＰT1の＋Ｚ側から支持部５０３により支持され、部分ＰT2が、部分ＰT2の−Ｚ側から支持部５０４により支持され、部分ＰT3が、部分ＰT3の＋Ｚ側から支持部５０５により支持されている。すなわち、本変形例において、ケーブルＣb2のうち、部分ＰT1及び部分ＰT3の間の配線長が、部分ＰT1及び部分ＰT3の間の直線距離よりも長くなるように、ケーブルＣb2が配線されている。換言すれば、本変形例では、ケーブルＣb2が、内部空間ＳP2において、曲線的な形状で配線される。
【００６９】
図１４は、外装ケース３００Ｂにおいて、ケーブルＣb2をコネクタＣn32から抜去した場合の、ケーブルＣb2の位置変化の一例を説明するための説明図である。
図１４に示すように、ケーブルＣb2をコネクタＣn32から抜去した場合、ケーブルＣb2がコネクタＣn32に接続されている場合と比較して、ケーブルＣb2のうち部分ＰT3は、−Ｘ側及び＋Ｚ側の一方または両方へと変位し、ケーブルＣb2のうち部分ＰT2は、−Ｘ側及び＋Ｚ側の一方または両方へと変位する。
【００７０】
このように、本変形例に係る外装ケース３００Ｂは、ケーブルＣb2を曲線的な形状で移動可能な態様で収容するための内部空間ＳP2を具備する。このため、本変形例によれば、ケーブルＣb2をコネクタＣn32から抜去する場合に、ケーブルＣb2に加えられるＸ軸方向の力を、内部空間ＳP2におけるケーブルＣb2の曲線部分において、Ｘ軸方向とは異なる方向へと逃がすことが可能となる。これにより、本変形例によれば、対比例と比較して、内壁部３２１または内壁部３２２へのケーブルＣb2の衝突の可能性を低減させることが可能となり、また、仮に、内壁部３２１または内壁部３２２へのケーブルＣb2の衝突が発生しても、対比例と比較して、当該衝突によりケーブルＣb2が受けるダメージを小さくすることが可能となる。
【００７１】
＜＜変形例３＞＞
上述した実施形態及び変形例において、印刷信号ＳIを生成する印刷制御回路２０は、基板Ｂ2に設けられるが、本発明はこのような態様に限定されるものではない。印刷信号ＳIを生成する印刷制御回路は、基板Ｂ3に設けられてもよい。
【００７２】
図１５は、本変形例に係るインクジェットプリンター１Ｃの構成の一例を示す機能ブロック図である。また、図１６は、インクジェットプリンター１Ｃに設けられた各種基板及び各種回路の概要の一例を説明するための説明図である。
【００７３】
図１５に示すように、インクジェットプリンター１Ｃは、制御ユニット２の代わりに制御ユニット２Ｃを備える点と、ヘッドユニット３の代わりにヘッドユニット３Ｃを備える点と、を除き、実施形態に係るインクジェットプリンター１と同様に構成されている。
【００７４】
図１６に示すように、制御ユニット２Ｃは、基板Ｂ2において、印刷制御回路２０の代わりに処理回路２００が設けられている点と、信号変換回路２２の代わりに信号変換回路２２Ｃが設けられている点と、駆動回路２１及びコネクタＣn21が設けられていない点と、を除き、実施形態に係る制御ユニット２と同様に構成されている。
このうち、処理回路２００は、印刷データＩmg及び印刷設定情報Ｉnfoに基づいて、搬送制御信号Ｃtr-Kと、印刷制御信号Ｃtr-Pとを生成する。ここで、印刷制御信号Ｃtr-Pとは、例えば、印刷データＩmgと、印刷設定情報Ｉnfoとを含む信号である。
また、信号変換回路２２Ｃは、印刷制御信号Ｃtr-Pを、光信号Ｈ-Ctrに変換する。ここで、光信号Ｈ-Ctrとは、印刷制御信号Ｃtr-Pの示す情報と同一内容の情報を示す光信号である。
【００７５】
図１６に示すように、ヘッドユニット３Ｃは、基板Ｂ3において、印刷制御回路２０Ｃが設けられている点と、駆動回路２１が設けられている点と、信号変換回路３３の代わりに信号変換回路３３Ｃが設けられている点と、コネクタＣn31が設けられていない点と、を除き、実施形態に係るヘッドユニット３と同様に構成されている。
このうち、信号変換回路３３Ｃは、信号変換回路２２Ｃから供給される光信号Ｈ-Ctrを、印刷制御信号Ｃtr-Pに変換する。
また、印刷制御回路２０Ｃは、印刷制御信号Ｃtr-Pに基づいて、印刷信号ＳI及び波形規定信号ｄComを生成する。
なお、本変形例において、基板Ｂ2に設けられたコネクタＣn22と、基板Ｂ3に設けられたコネクタＣn32とを接続するケーブルＣb2は、信号変換回路２２Ｃにおいて生成された光信号Ｈ-Ctrを伝送する光ケーブルである。
【００７６】
以上のように、本変形例では、印刷制御信号Ｃtr-Pを変換した光信号Ｈ-Ctrを伝送するケーブルＣb2が光ケーブルであるため、印刷制御信号Ｃtr-Pのデータ量が増大化する場合、または、印刷制御信号Ｃtr-Pの伝送距離が長くなる場合であっても、印刷処理の遅延を防止しつつ、印刷処理において高画質の画像を形成することが可能となる。
【００７７】
＜＜変形例４＞＞
上述した実施形態及び変形例では、インクジェットプリンターがシリアルプリンターである場合を想定したが、本発明はこのような態様に限定されるものではない。インクジェットプリンターは、印刷ヘッド３２において、複数のノズルＮが記録媒体ＰPの幅よりも広く延在するように設けられた、所謂ラインプリンターであってもよい。
【００７８】
＜＜変形例５＞＞
上述した実施形態及び変形例において、インクジェットプリンターは、圧電素子ＰZを振動させることによりノズルＮからインクを吐出するものであるが、本発明はこのような態様に限定されるものではなく、例えば、キャビティ７２に設けられた発熱体を発熱させることによりキャビティ７２内に気泡を生じさせてキャビティ７２内部の圧力を高め、これによりインクを吐出させる、所謂サーマル方式であってもよい。
【符号の説明】
【００７９】
１…インクジェットプリンター、２…制御ユニット、３…ヘッドユニット、４…搬送ユニット、３１…供給回路、３００…外装ケース、Ｂ2…基板、Ｂ3…基板、Ｃb2…ケーブル、Ｃn22…コネクタ、Ｃn32…コネクタ、Ｄ…吐出部、ＳP2…内部空間。
【図１】
2020199655.tif 000003
【図２】
2020199655.tif 000004
【図３】
2020199655.tif 000005
【図４】
2020199655.tif 000006
【図５】
2020199655.tif 000007
【図６】
2020199655.tif 000008
【図７】
2020199655.tif 000009
【図８】
2020199655.tif 000010
【図９】
2020199655.tif 000011
【図１０】
2020199655.tif 000012
【図１１】
2020199655.tif 000013
【図１２】
2020199655.tif 000014
【図１３】
2020199655.tif 000015
【図１４】
2020199655.tif 000016
【図１５】
2020199655.tif 000017
【図１６】
2020199655.tif 000018